(57)【要約】【課題】ガラス収納枠や前面パネルに液晶やＥＬ素子を用いた透視性を有する電気的な情報表示手段を取付けた従来の遊技機においては、制御信号線を情報表示手段と制御装置とに配線する際の制御信号線の引き回し作業が大変である。【解決手段】遊技機枠の前面側に設けられた透視性を有する板材（透明板材４）を通して前側から遊技領域１０を視認し得るように遊技機枠の内部に遊技主体（遊技盤７）が取付けられた遊技機において、透視性を有する板材と遊技主体との間に配置されて遊技主体に取付けられた透視性を有する電気的な情報表示手段２０を備えた。【選択図】　　　　図２
2004105555.tif 000002
【特許請求の範囲】
【請求項１】
遊技機枠の前面側に設けられた透視性を有する板材を通して前側から遊技領域を視認し得るように遊技機枠の内部に遊技主体が取付けられた遊技機において、透視性を有する板材と遊技主体との間に配置されて遊技主体に取付けられた透視性を有する電気的な情報表示手段を備えたことを特徴とする遊技機。
【請求項２】
情報表示手段は透視性を有する保持部材に取付けられ、この保持部材が遊技主体に取付けられたことを特徴とする請求項１に記載の遊技機。
【請求項３】
遊技主体は遊技盤であり、情報表示手段は透視性を有する保持部材に取付けられ、保持部材の一端側が遊技盤の一端側にヒンジ手段を介して回動自在に取付けられたことを特徴とする請求項１に記載の遊技機。
【請求項４】
保持部材は透視性を有する板材より構成され、この板材の一面に情報表示手段が取付けられたことを特徴とする請求項２又は請求項３に記載の遊技機。
【発明の詳細な説明】
【０００１】
【発明の属する技術分野】
本発明は、遊技盤や図柄可変表示装置等の遊技主体の前面側に透視性を有する電気的な情報表示手段を配置したパチンコ機やスロットマシン等の遊技機に関する。
【０００２】
【従来の技術】
従来、遊技機枠の前面に設けられたガラスを通して前側から遊戯領域を視認し得るように遊技機枠の内部に遊技盤が取付けられたパチンコ機において、ガラス収納枠側に液晶を用いた透視性を有する電気的な情報表示手段を取付けたものがある（例えば、特許文献１参照）。これは図７に示すように、ガラス収納枠の遊技者側にガラス１００が取付けられているとともに空間１０１を介して遊技盤１０２に近い側に情報表示手段１０３が取付けられている。情報表示手段１０３は、分散型液晶１０４をガラス１０５，１０６で挟持して成るものであり、分散型液晶１０４を制御して遊技手順や大当たり等の遊技状態を表示するようにしている。
また、図柄可変表示装置を内蔵したスロットマシンにおいて、図８に示すように、図柄可変表示装置の図柄表示体２００の前面側に設けた前面パネル２０１の裏側にＥＬ（エレクトロルミネッセンス）素子を用いた透視性を有する電気的な情報表示手段２０２を取付けたものがある（例えば、特許文献２参照）。
【０００３】
【特許文献１】
特開平７−８６０２号公報（図２、段落００３１等）
【特許文献２】
特開２０００−３５０８０５号公報（図２、図３、特許請求の範囲等）
【０００４】
【発明が解決しようとする課題】
上述した情報表示手段はパチンコ機やスロットマシン等の遊技機の制御装置と接続しなければならないが、制御装置は一般にパチンコ機の遊技盤やスロットマシの図柄可変表示装置等の遊技主体の裏側に取付けられており、上記構成では、遊技機枠に遊技主体を取付けてかつガラス収納枠や前面パネルに情報表示手段を取付けた状態で制御装置と情報表示手段とを制御信号線で接続しなければならない。このため、遊技機枠に遊技主体を取付けた後に遊技主体の裏側に制御信号線を引き回したりしなくてはならず、制御信号線の配線時における制御信号線の引き回し作業が大変である。また、制御信号線を引き回すときに制御信号線を断線させてしまうおそれもある。
【０００５】
【課題を解決するための手段】
本発明の遊技機は、遊技機枠の前面側に設けられた透視性を有する透明ガラスや透明樹脂パネル等の板材を通して前側から遊技領域を視認し得るように遊技機枠の内部に遊技盤や図柄可変表示装置等の遊技主体が取付けられた遊技機において、透視性を有する板材と遊技主体との間に配置されて遊技主体に取付けられた透視性を有する電気的な情報表示手段を備えたものである。これにより、遊技機枠に遊技主体を取付ける前に制御信号線の配線作業を行えるので、従来のように遊技主体を遊技機枠に取付けた後に配線作業を行う必要がある場合に比べて、配線作業時における制御信号線の引き回し作業が不要となるので、配線作業が容易になり、また、配線作業時に制御信号線を断線させてしまうようなことも少なくなる。
また、透視性を有する保持部材に情報表示手段を取付け、この保持部材を遊技主体に取付けるようにすれば、薄形で剛性がない情報表示手段であっても保持部材により剛性を保てる。
遊技主体としての遊技盤に対しては、情報表示手段が取付けられた保持部材の一端側を遊技盤の一端側にヒンジ手段を介して回動自在に取付けるようにすれば、保持部材を回動して遊技盤から離すことができるので、遊技領域に球詰まり等が発生した場合等に容易に対処できるようになる。
また、保持部材は透視性を有する板材より構成し、この板材の一面に情報表示手段を取付けるようにすれば、薄形で剛性がない情報表示手段を用いるような場合に、保持部材により剛性を確実に保てる。
【０００６】
【発明の実施の形態】
実施形態１．
図１は実施形態１による遊技機としてのパチンコ機の外観を示す斜視図、図２は図１のＡ−Ａ断面図、図３は遊技盤に対する情報表示手段の取付けを説明するための図である。各図において、１は固定枠、２は固定枠１の左端側に設けられた上下のヒンジ手段２ａ，２ｂを介して片開き可能に取付けられた可動枠である。この固定枠１と可動枠２とで遊技機枠が構成される。３は可動枠２の前面に取付けられた前面化粧体である。４は透明ガラスや透明樹脂パネル等の透視性を有する透明板材であり、これは取付枠４Ａに取付けられている。取付枠４Ａは可動枠２にヒンジ手段４ａを介して取付けられ、可動枠２と同方向に片開き可能となるように可動枠２の前面側に取付けられている。尚、前面化粧体３が上下のヒンジ手段２ａ，２ｂを介して片開き可能に取付けられている場合は、可動枠２やこの前面化粧体３と同方向に片開き可能なように、前面化粧体３の内側に取付枠４Ａが取付けられているものもある。３Ａは飾りランプ、３Ｂは上皿装置、３Ｃは下皿装置、３Ｄは球発射操作手段としてのハンドルグリップである。可動枠２にはリヤプレートと呼ばれる裏機構板５が設けられ、可動枠２と裏機構板５との間の遊技盤収納空間に遊技盤固定装置６を介して遊技盤７が取付けられている。遊技盤７の遊技盤面８におけるガイドレール９で区切られた遊技領域１０には、釘１１、各種入賞装置１２、センター役物１３、風車１４、サイドランプ１５、アウト口１６等の遊技部品が取付けられている。尚、Ｐはパチンコ球である。遊技盤７の裏側には部品取付体１７を介して制御装置１８が取付けられている。
【０００７】
透視性を有する電気的な情報表示手段２０は、分散型液晶等を透視性を有する樹脂フィルム等で挟持して成る薄形の液晶表示パネルや、ＥＬ（エレクトロルミネッセンス）素子を透視性を有する樹脂フィルム等で挟持して成る薄形のＥＬ表示パネル等で構成される。つまり、液晶や半導体を用いた情報表示デバイスであって、液晶や半導体を電気的に制御することによって種々の情報を表示可能なものを用いればよい。また、プラズマディスプレイパネル等を用いてもよい。
【０００８】
情報表示手段２０は、透視性を有する平板状の保持板２１の一面側に透明接着剤等で固着され、図２，３に示すように、この保持板２１の左端２１ａ側はヒンジ手段２２を介して遊技盤７の遊技盤面８における遊技領域１０外の左端７ａ側の上下に取付けられ、取付枠４Ａや可動枠２と同方向に片開き可能なように取付けられる。このように、情報表示手段２０を一面側に取付けた保持板２１を、透明板材の取付枠４Ａや可動枠２と同方向に片開き可能なように遊技盤７に取付けているので、取付枠４Ａや可動枠２と同方向に保持板２１を開いて保持板２１を遊技盤７から離すことができるので、遊技領域１０に球詰まり等が発生した場合等に容易に対処できるようになる。このヒンジ手段２２としては、図３に示すように保持板２１の左端２１ａ側に接着剤やねじ等で取付けられる一方の部材２３に設けられた軸２４を、遊技盤７における遊技盤面８の左端７ａ側にねじ等で取付けられる他方の部材２５に設けられた軸孔２６に嵌め込んでヒンジを構成するようにすれば、情報表示手段２０の取付け取外しが容易になる。尚、図２に示すように、保持板２１の右端２１ｂ側には、遊技盤７における遊技盤面８の右端７ｂ側に当接して情報表示手段２０が所定の位置より遊技盤７側に移動しないように規制するための規制片２１ｄが設けられ、また、保持板２１の右端２１ｂ側に対向する透明板材４にはクッション体４ｄが設けられ、このクッション体４ｄにより、情報表示手段２０が所定の位置より透明板材４側に移動しないように規制されている。尚、保持板２１の右端２１ｂ側をねじや磁石等で透明板材の取付枠４Ａに固定してもよい。また、図４に示すように、軸２７を介して部材２８，２９が回動自在に構成された丁番タイプのヒンジ手段３０を用いてもよい。この場合、一方の部材２８側にフランジ３１を設けて、このフランジ３１を介して部材２８を遊技盤面８の左端７ａ側にねじ等で取付ける。また、他方の部材２９はねじや接着剤などで保持板２１の左端２１ａ側に固定する。また、遊技盤７の左端７ａ側には遊技盤７を貫通する制御信号線通し孔３２が形成され、この孔３２を介して情報表示手段２０の制御信号線３３が遊技盤７の裏側に導かれ、コネクタ３４，３５を介して制御装置１８に接続される。
【０００９】
以上のように、情報表示手段２０が取付けられ、かつ、制御信号線３３の配線が完了した状態の遊技盤７を遊技盤収納空間に取付けるようにすれば、従来のように遊技盤を取付けた後に配線作業を行わなくてよいので、上述した従来のような配線時における不具合が生じない。即ち、遊技盤７を遊技盤収納空間に取付ける前に配線作業を行えるので、従来のように遊技盤を遊技盤収納空間に取付けた後に配線作業を行う必要がある場合に比べて、配線作業時における制御信号線の引き回し作業が不要となるので、配線作業が容易になり、また、配線作業時に制御信号線を断線させてしまうようなことも少なくなる。また、制御信号線３３の長さを上述した従来技術よりも短くできるので、従来に比べて信号ノイズの影響を少なくできる。また、保持板２１に情報表示手段２０を取付けているので、薄形で剛性がない情報表示手段２０であっても保持板２１により剛性を保てる。
【００１０】
以上により、透明板材４と遊技盤７との間に配置され遊技盤７に取付けられた透視性を有する電気的な情報表示手段２０を備えたパチンコ機が得られる。そして、制御装置１８により情報表示手段２０を制御することで、情報表示手段２０に様々な情報を表示させることができる。例えば、図１のように大当たり時に大当たりの文字を表示させたり、遊技手順を表示させたり、様々な絵やキャラクタ等の静止画や動画等を表示させることができる。また、遊技者が遊技をしていない場合にも上記のような情報を表示させることが可能である。
【００１１】
尚、上記では、遊技盤７の左端７ａ側にヒンジ手段を介して保持板２１の左端２１ａ側を介して取付けたが、遊技盤７の上端側にヒンジ手段を介して保持板２１の上端側を取付けたり、遊技盤７の下端側にヒンジ手段を介して保持板２１の下端側を取付てもよい。
【００１２】
実施形態２．
本発明は、図５，６に示すような遊技機としてのスロットマシンにも適用可能である。各図において、４１は遊技機枠、４２は遊技機枠４１の前側に片開き可能なように取付けられた透視性を有する前面パネルである。遊技機枠４１内には棚部４３が設けられており、この棚部４３上に遊技主体としての図柄可変表示装置４４が載置された状態で、図柄可変表示装置４４は、取付部４５を介してねじ等で棚部４３及び遊技機枠４１の内部上側に固定される。図柄可変表示装置４４は、前方に開口部４６ａを有するケーシング４６の内部に３つのベルト式（又はドラム式）の図柄表示機構４７が並列に設けられているものであり、図柄が表示された図柄表示体４８をモータにより回転させる。尚、図６ではベルト式を図示しており、この場合、無端ベルト状の図柄表示体４８を駆動輪４９及び従動輪５０に掛け渡して駆動輪４９をモータで回転させるものである。ドラム式の場合は、駆動輪の周囲に無端リング状の図柄表示体を取付け、駆動輪をモータで回転させるものである。尚、黒色系等のマスク印刷５１が前面パネル４２の裏側に施される際の印刷抜きにより、前面パネル４２の裏側に図柄視認領域５２が形成されており、この図柄視認領域５２を介して前側から図柄の回転・停止を視認できる。即ち、遊技領域を視認できる。本実施形態２では、情報表示手段２０を取付けた保持板６０は、駆動輪４９の外周上の図柄表示体４８の曲率に合わせた形状に形成されていて、ケーシング４６の開口部４６ａを覆い、かつ、図柄視認領域５２に対応するようにケーシング４６に取付けられている。これによって、前側から図柄視認領域５２を介して遊技領域及び情報表示手段２０に表示される情報を視認することができる。
実施形態２によれば、制御装置６１を裏側に有してケーシング４６の開口部４６ａを覆うように情報表示手段２０が取付けられ、情報表示手段２０と制御装置６１間の制御信号線３３の配線が完了した状態の図柄可変表示装置４４を遊技機枠４１に取付けることにより、実施形態１と同様な効果が得られる。尚、図５において、７０は賭数操作部、７１は最大賭数操作部、７２は図柄停止操作部、７３はメダル投入装置、７４は遊技開始操作部、７５は皿装置、７６は前面飾りである。
【００１３】
尚、上記では、保持部材としての保持板２１，６０の一面に情報表示手段２０を取付けたが、枠状の保持板に情報表示手段２０の周辺側を取付けるようにしてもよい。このようにすれば、軽量化が図れる。また、情報表示手段２０そのものが剛性を有する構造のものを用いるのであれば、保持部材を用いなくともよい。
【図面の簡単な説明】
【図１】本発明の実施形態１による遊技機（パチンコ機）の斜視図。
【図２】図１のＡ−Ａ断面図。
【図３】遊技盤に対する情報表示手段の取付けを説明するための図。
【図４】実施形態１による他のヒンジ手段を用いた場合を示す図。
【図５】本発明の実施形態２による遊技機（スロットマシン）の斜視図。
【図６】図５の要部縦断面図。
【図７】従来技術を示す図。
【図８】他の従来技術を示す図。
【符号の説明】
１　固定枠、２　可動枠、４　透明板材（透視性を有する板材）、
７　遊技盤（遊技主体）、１０　遊技領域、２０　情報表示手段、
２１，６０　保持板（保持部材）、２２，３０　ヒンジ手段、４１　遊技機枠、
４２　前面パネル（透視性を有する板材）、
４４　図柄可変表示装置（遊技主体）。
【図１】
2004105555.tif 000003
【図２】
2004105555.tif 000004
【図３】
2004105555.tif 000005
【図４】
2004105555.tif 000006
【図５】
2004105555.tif 000007
【図６】
2004105555.tif 000008
【図７】
2004105555.tif 000009
【図８】
2004105555.tif 000010